(57)【要約】【課題】  繰返し語を容易に形成することができるようにすること。【解決手段】  文字の入力とその入力した文字を変換処理するための入力部１と、入力した文字を一時格納する文字列格納メモリ２と、入力した文字の変換結果を格納する変換結果格納メモリ６と、入力した文字及び変換により確定した文字を表示するための表示部７とを有する情報端末装置において、入力部１により入力した文字から繰返し語を形成する繰返し語処理部３が設けられている。【選択図】        図１
2009217550.tif 000002
【特許請求の範囲】
【請求項１】
文字の入力とその入力した文字を変換処理するための入力部と、入力した文字を一時格
納する文字列格納メモリと、入力した文字の変換結果を格納する変換結果格納メモリと、
入力した文字及び変換により確定した文字を表示するための表示部とを有する情報端末装
置において、入力部により入力した文字から繰返し語を形成する繰返し語処理部が設けら
れていることを特徴としている情報端末装置。
【請求項２】
前記文字列格納メモリに格納する文字数を制限する文字数制限手段が設けられているこ
とを特徴とする請求項１に記載の情報端末装置。
【請求項３】
文字の入力とその入力した文字を変換処理するための入力部と、入力した文字を一時格
納する文字列格納メモリと、入力した文字の変換結果を格納する変換結果格納メモリと、
入力した文字及び変換により確定した文字を表示するための表示部とを有する情報端末装
置において、入力部により入力した文字から繰返し語を形成する繰返し語処理部と、入力
した文字を漢字変換するための仮名漢字変換辞書と、過去に入力した文字を記憶する入力
履歴メモリとが設けられており、入力部を操作して文字を入力することにより、その文字
を文字列格納メモリに一時格納すると共に、その文字列格納メモリに一時格納されている
文字数が制限範囲内か否かを判断し、制限文字数以内であれば繰返し語処理部により形成
した繰返し語候補と仮名漢字変換辞書及び入力履歴メモリの検索により抽出した仮名漢字
変換語候補や入力履歴語候補とを表示部に表示し、その繰返し語候補、仮名漢字変換語候
補及び入力履歴語候補のうちの一つを選択し、その選択した確定語を変換結果格納メモリ
に格納すると共に、その確定語を表示部に表示することを特徴とする情報端末装置におけ
る入力文字確定方法。
【発明の詳細な説明】
【技術分野】
【０００１】
本発明は、例えば携帯電話やパーソナルコンピュータなどの情報端末装置と入力文字確
定方法に関する。
【背景技術】
【０００２】
例えば電子メールで使う言葉の中には、方言や仲間内でしか通じない言葉で２度同じ言
葉を繰り返して使うことがある。その繰返し語の例としては、例えば「そうそう」という
意味の山形弁の「んだんだ」、「てきぱき」という意味の讃岐弁の「しゃんしゃん」、そ
の他に「わんわん」、「にゃんにゃん」などがある。
【０００３】
従来の情報端末装置では、繰返し語を効率的に入力する方法がなく、同じ文字を２度繰
り返し入力することが行われており、手間がかかって面倒である。
【０００４】
連続文字を入力する技術として特許文献１に記載したものがある。これは、文字を入力
し、リピートキーを操作することにより、直前に入力した文字を連続して入力するもので
ある。
【特許文献１】特開２００１−６７１６９号公報
【発明の開示】
【発明が解決しようとする課題】
【０００５】
上記従来の構成では、例えば「しゃ」と入力し、リピートキーを操作することにより、
「しゃゃ」というように、直前に入力した文字を連続して入力することができるだけであ
るから、例えば「しゃん」を２度繰り返して「しゃんしゃん」を形成するように、方言や
仲間内でしか通じない言葉で２度同じ言葉を繰り返して使う繰返し語を形成できない。
【０００６】
また、文字変換技術として予測変換表示機能が存在する。これは、例えば「あ」と入力
すると、仮名漢字変換辞書や入力履歴メモリから変換候補を探し出して表示することによ
り、ユーザの入力をサポートするものであるが、これでも、入力履歴メモリに予め入力さ
れているもの以外は、方言や仲間内でしか通じない言葉はほどんど登録されていないので
、繰返し語を形成することができない。
【０００７】
本発明は、上記従来の欠点に鑑み、繰返し語を容易に形成することができるようにした
情報端末装置と入力文字確定方法とを提案するものである。
【課題を解決するための手段】
【０００８】
上記目的を達成するため、請求項１に記載の発明は、文字の入力とその入力した文字を
変換処理するための入力部と、入力した文字を一時格納する文字列格納メモリと、入力し
た文字の変換結果を格納する変換結果格納メモリと、入力した文字及び変換により確定し
た文字を表示するための表示部とを有する情報端末装置において、入力部により入力した
文字から繰返し語を形成する繰返し語処理部が設けられていることを特徴としている。
【０００９】
請求項２に記載の発明は、請求項１に記載の発明において、前記文字列格納メモリに格
納する文字数を制限する文字数制限手段が設けられていることを特徴としている。
【００１０】
請求項３に記載の発明は、文字の入力とその入力した文字を変換処理するための入力部
と、入力した文字を一時格納する文字列格納メモリと、入力した文字の変換結果を格納す
る変換結果格納メモリと、入力した文字及び変換により確定した文字を表示するための表
示部とを有する情報端末装置において、入力部により入力した文字から繰返し語を形成す
る繰返し語処理部と、入力した文字を漢字変換するための仮名漢字変換辞書と、過去に入
力した文字を記憶する入力履歴メモリとが設けられており、入力部を操作して文字を入力
することにより、その文字を文字列格納メモリに一時格納すると共に、その文字列格納メ
モリに一時格納されている文字数が制限範囲内か否かを判断し、制限文字数以内であれば
繰返し語処理部により形成した繰返し語候補と仮名漢字変換辞書及び入力履歴メモリの検
索により抽出した仮名漢字変換語候補や入力履歴語候補とを表示部に表示し、その繰返し
語候補、仮名漢字変換語候補及び入力履歴語候補のうちの一つを選択し、その選択した確
定語を変換結果格納メモリに格納すると共に、その確定語を表示部に表示することを特徴
としている。
【発明の効果】
【００１１】
請求項１に記載の発明によれば、入力部により入力した文字を繰返し語処理部で処理す
ることにより、方言や仲間言葉である繰返し語を予測変換文字として容易に形成すること
ができ、使い勝手よい。
【００１２】
請求項２に記載の発明によれば、方言や仲間言葉などの繰返し語の文字数が通常は数語
であるから、その文字数を制限しても問題がなく、その一方で、制限文字数以上に文字を
入力したときに、繰返し語処理部が作動されないようにすることにより、その作動に要す
る時間を短縮して処理能力を高めることができる。
【００１３】
請求項３に記載の発明によれば、方言や仲間言葉である繰返し語候補と仮名漢字変換語
候補や入力履歴語候補とを同時に表示し、そのうちに一つを選択するようになっているか
ら、選択範囲が広くて実用的であり、使い勝手よい。
【発明を実施するための最良の形態】
【００１４】
図１は本発明の実施の一形態である情報端末装置（例えば携帯電話やパーソナルコンピ
ュータなど）の制御状態を示すブロック図であって、文字の入力とその入力した文字を変
換処理するための各種キーを備えた入力部１と、入力した文字を一時格納する文字列格納
メモリ２と、入力部１により入力した文字から繰返し語を形成する繰返し語処理部３と、
入力部１により入力した文字を漢字変換するための仮名漢字変換辞書４と、過去に入力し
た文字を記憶する入力履歴メモリ５と、入力した文字の変換結果を格納する変換結果格納
メモリ６と、入力した文字及び変換により確定した文字を表示するための液晶ディスプレ
イなどからなる表示部７とを有している。
【００１５】
図１に示すように、ＣＰＵからなる制御部９により入力処理部１０を介して前記入力部
１及び文字列格納メモリ２が制御されると共に、該制御部９により変換処理部１１を介し
て前記文字列格納メモリ２、繰返し語処理部３、仮名漢字変換辞書４、入力履歴メモリ５
及び変換結果格納メモリ６が制御され、且つ、その制御部９により表示処理部１２を介し
て表示部７が制御されている。
【００１６】
前記制御部９には、文字列格納メモリ２に格納する文字数を制限（例えば５文字以内）
する文字数制限手段が設けられている。また、その制御部９には、プログラムを格納した
例えばフラッシュメモリなどの不揮発性メモリからなるＲＯＭと、データの読み出しや書
き込みを行うためのＲＡＭとが接続され、更に、その制御部９には必要に応じて通信装置
、外部記憶装置、印刷装置などが接続されている。なお、各メモリ２，３，５，６はＲＡ
Ｍに設けられている。
【００１７】
図３は繰返し語の一例を示す一覧表であって、入力文字の「し」に対しては「しし」が
繰返し語として予測され、以下同様に、「しゃ」に対して「しゃしゃ」、「しゃん」に対
して「しゃんしゃん」「しゃんぐ」に対して「しゃんぐしゃんぐ」、「しゃんぐり」に対
して「しゃんぐりしゃんぐり」がそれぞれ繰返し語として予測される。
【００１８】
ここで、方言や仲間言葉などの繰返し語の文字数が通常は数語であるから、その文字数
を制限しても問題がない。そこで、文字数制限手段により文字列格納メモリ２に格納する
文字数を例えば５文字以内に制限すると、「しゃんぐりら」は６文字であるから、繰返し
語無しとなり、「しゃんぐりらしゃんぐりら」は形成されない。
【００１９】
制御部９による繰返し語の形成手順を図２の流れ図に基づいて説明すると、ステップＳ
１に示すように、入力部１により一字目の文字を入力すると、ステップＳ２に移行して、
入力した文字を文字列格納メモリ２に一時的に格納する。次に、ステップＳ３に移行し、
文字列格納メモリ２に格納した文字数が制限文字数（例えば５文字数）以内か否かを判断
し、制限文字数以内であれば、ステップＳ４に移行し、繰返し語処理部３により形成した
繰返し語候補（及び仮名漢字変換辞書４及び入力履歴メモリ５の検索により抽出した仮名
漢字変換語候補や入力履歴語候補）を表示部７に表示する。続いて、ステップＳ５に移行
し、繰返し語候補を選択するか否かを判断し、選択しない場合には、ステップＳ１に戻り
、入力部１により二字目の文字を入力し、以後は上記と同じ手順を繰り返す。
【００２０】
ステップＳ５で繰返し語候補を選択する場合には、ステップＳ６に移行し、入力部１の
操作により繰返し語を選択して確定させ、ステップＳ７に移行し、その確定した繰返し語
を変換結果格納メモリ６に格納し、ステップＳ８に移行し、確定した繰返し語を表示部７
に表示する。
【００２１】
ステップＳ３で、文字列格納メモリ２に格納した文字数が制限文字数（例えば５文字数
）を超える場合には、ステップＳ８に移行し、入力した文字を確定語としてそのまま表示
部７に表示する。
【００２２】
ステップＳ５で仮名漢字変換語候補または入力履歴語候補を選択する場合には、ステッ
プＳ６に移行し、入力部１の操作により仮名漢字変換語または入力履歴語を選択して確定
させ、ステップＳ７に移行し、確定した仮名漢字変換語または入力履歴語を変換結果格納
メモリ６に格納し、ステップＳ８に移行し、確定した仮名漢字変換語または入力履歴語を
表示部７に表示する。
【００２３】
繰返し語の具体的形成手順を図４の流れ図に基づいて説明すると、これは繰返し語の「
しゃんしゃん」の形成手順であって、図４（ａ）に示すように、入力部１によりカーソル
Ｃを動かして「し」を入力すると（ステップＳ１）、その「し」が文字列格納メモリ２に
一時的に格納され（ステップＳ２）、制限文字数以内であるから（ステップＳ３）、表示
部７の候補欄７ａに入力文字の「し」、繰返し語候補の「しし」、仮名漢字変換語候補や
入力履歴語候補の「詩」「死」などが表示される（ステップＳ４）。
【００２４】
ここでは、繰返し語候補の「しし」（及び仮名漢字変換語候補や入力履歴語候補）を選
択しないから（ステップＳ５）、元に戻って、図４（ｂ）に示すように、入力部１により
カーソルＣを動かして「ゃ」を入力すると（ステップＳ１）、その「ゃ」が文字列格納メ
モリ２に一時的に格納され（ステップＳ２）、制限文字数以内であるから（ステップＳ３
）、表示部７の候補欄７ａに入力文字の「しゃ」、繰返し語候補の「しゃしゃ」、仮名漢
字変換語候補や入力履歴語候補の「社」「者」などが表示される（ステップＳ４）。
【００２５】
この場合も、繰返し語候補の「しゃしゃ」（及び仮名漢字変換語候補や入力履歴語候補
）を選択しないから（ステップＳ５）、元に戻って、図４（ｃ）に示すように、入力部１
によりカーソルＣを動かして「ん」を入力すると（ステップＳ１）、その「ん」が文字列
格納メモリ２に一時的に格納され（ステップＳ２）、制限文字数以内であるから（ステッ
プＳ３）、表示部７の候補欄７ａに入力文字の「しゃん」、繰返し語候補の「しゃんしゃ
ん」、仮名漢字変換語候補や入力履歴語候補の「シャンプー」「シャンゼリゼ」などが表
示される（ステップＳ４）。
【００２６】
繰返し語候補の「しゃんしゃん」を選択する場合には（ステップＳ５）、入力部１の操
作により繰返し語の「しゃんしゃん」を選択して確定させ（ステップＳ６）、その確定し
た繰返し語の「しゃんしゃん」を変換結果格納メモリ６に格納し（ステップＳ７）、図４
（ｄ）に示すように、確定した繰返し語の「しゃんしゃん」を表示部７に表示する（ステ
ップＳ８）。
【００２７】
ステップＳ３で、例えば「しゃんぐりら」のように文字列格納メモリ２に格納した文字
数が制限文字数（例えば５文字数）を超える場合には、ステップＳ８に移行し、入力した
文字の「しゃんぐりら」を確定語としてそのまま表示部７に表示する。
【００２８】
上記構成によれば、入力部１により入力した文字を繰返し語処理部３で処理することに
より、方言や仲間言葉である繰返し語を予測変換文字として容易に形成することができ、
使い勝手よい。
【００２９】
また、方言や仲間言葉などの繰返し語の文字数が通常は数語であるから、その文字数を
制限しても問題がなく、その一方で、制限文字数以上に文字を入力したときに、繰返し語
処理部３が作動されないようにすることにより、その作動に要する時間を短縮して処理能
力を高めることができる。
【００３０】
更に、方言や仲間言葉である繰返し語候補と仮名漢字変換語候補や入力履歴語候補とを
同時に表示し、そのうちに一つを選択するようになっているから、選択範囲が広くて実用
的であり、使い勝手よい。
【図面の簡単な説明】
【００３１】
【図１】本発明の実施の一形態である情報端末装置の制御状態を示すブロック図である。
【図２】繰返し語の形成手順を示す流れ図である。
【図３】繰返し語の一例を示す一覧表である。
【図４】繰返し語の具体的形成手順を示す工程図である。
【符号の説明】
【００３２】
１        入力部
２        文字列格納メモリ
３        繰返し語処理部
４        仮名漢字変換辞書
５        入力履歴メモリ
６        変換結果格納メモリ
７        表示部
【図１】
2009217550.tif 000003
【図２】
2009217550.tif 000004
【図３】
2009217550.tif 000005
【図４】
2009217550.tif 000006